(57)【特許請求の範囲】
【請求項１】
入力側となる信号線が接続される入力端子と、入力端子との間に信号経路が形成され送り側となる信号線が接続される送り端子と、入力端子との間に信号経路が形成される同軸コネクタと、入力端子を通して入力される信号を同軸コネクタと送り端子とに分ける回路と、矩形状であって入力端子と送り端子と同軸コネクタと前記回路とが実装されたプリント基板とを器体に備え、同軸コネクタはプリント基板の中央部に実装され、入力端子と送り端子とはプリント基板の長手方向に沿う一辺に並びプリント基板の長手方向における中心を挟んで実装され、前記回路はプリント基板の長手方向において同軸コネクタと並びかつプリント基板の長手方向において同軸コネクタから送り端子よりも離れた部位に実装され、器体は、埋込型配線器具の規格である１個モジュール寸法であって埋込用配線器具の取付枠に取着可能な取付手段を備え、前記同軸コネクタは、外側導体と内側導体とにそれぞれ接続されプリント基板に一直線上で設けた３個のランドにそれぞれ実装される３個の端子を備え、前記プリント基板上において入力端子および送り端子と前記回路とをそれぞれ結ぶ導電パターンがプリント基板の長手方向に沿った中心線と斜めに交差する直線状に形成されるとともに、前記ランドのうち同軸コネクタの内側導体に接続される中央のランドと前記回路とを結ぶ導電パターンが形成され、入力端子と送り端子とのうち前記回路から遠い方である入力端子と前記回路とを結ぶ導電パターンにおける前記回路側の一端はプリント基板の長手方向において前記中央のランドと並んで配置され、当該導電パターンに沿いかつプリント基板の長手方向に沿った中心線と斜めに交差する直線に沿って残りのランドが配置されていることを特徴とするテレビコンセント。
【請求項２】
前記プリント基板を収納する金属製の筐体と、筐体を収納する前記器体としての合成樹脂成形品のカバーとを備えることを特徴とする請求項１記載のテレビコンセント。
【発明の詳細な説明】
【０００１】
【発明の属する技術分野】
本発明は、テレビコンセントに関するものである。
【０００２】
【従来の技術】
従来より、放送信号を受信するテレビジョン受信器やビデオ機器を着脱可能に接続するために壁等の施工面に施工されるテレビコンセントが提供されている。この種のテレビコンセントとしては、図８のように、合成樹脂製のカバー１２０の前面に同軸コネクタ１３０を露出させ、カバー１２０の側面に入力側の信号線を接続する入力端子となるねじ付きの端子１１８を露出させた構成が知られている。この構成では、カバー１２０によって前シールド枠１１１を保持し、前シールド枠１１１に後シールド枠１１５を組み合わせることによって金属製の筐体１１０を構成してある。また、前シールド枠１１１の側面には入力側の信号線となる同軸ケーブルを保持する押さえ板１１７が取り付けられており、カバー１２０の側面にはねじ付きの端子１１８が露出する。筐体１１０の内部には同軸コネクタ１３０と端子１１８とを接続するためのプリント基板１１９が収納される。
【０００３】
【発明が解決しようとする課題】
ところで、上述した従来構成では、同軸コネクタ１３０の内側導体はプリント基板１１９に半田付けにより実装されているが、同軸コネクタ１３０の外側導体は前シールド枠１１１に結合されている。
【０００４】
しかしながら、高周波信号を伝送する特性上から言えば、外側導体を内側導体とともにプリント基板１１９に接続することが望ましい。つまり、内側導体をプリント基板１１９に実装し外側導体を前シールド枠１１１に結合する構成では、前シールド枠１１１とプリント基板１１９との間で内側導体が外側導体に囲まれない部位が生じ、この部位でインピーンダンスが変化するから、信号に損失が生じやすくなる。
【０００５】
そこで、外側導体もプリント基板１１９に実装することが考えられるが、内側導体の端子と外側導体の端子とを結ぶ直線をプリント基板１１９の一辺に沿うように、プリント基板１１９に対する同軸コネクタ１３０の取付向きを設定する（つまり、プリント基板１１９の表面に平行な面内で同軸コネクタ１３０の中心線とプリント基板１１９の中心線とを一致させている）のが一般的であり、内側導体に接続される導電パターンが外側導体に接続された接地パターンに接触しないように導電パターンを形成するとすれば、外側導体の端子に接触しないように導電パターンの幅を細くするか、外側導体の端子を迂回するように湾曲した長い導電パターンを形成しなければならない。このように、導電パターンの幅が細くなったり、長くなったりすれば、導電パターンによるインピーダンス成分が増加して高周波特性が低下することになる。
【０００６】
また、テレビコンセントとしては分岐回路や分配回路を内蔵するものが考えられるが、これらの回路をプリント基板１１９に実装すると、これらの回路への入力側と出力側との導電パターンがプリント基板１１９に形成されることになり、入力側と出力側との導電パターンが近接して形成されている場合には、入力側と出力側との結合損失が増加したり、不要な結合が生じたりして高周波特性が低下することになる。上述したような高周波特性の低下は扱う周波数の高いＣＳ放送用のテレビコンセントではとくに大きな問題になる。
【０００７】
本発明は上記事由に鑑みて為されたものであり、その目的は、プリント基板に形成される導電パターンを短くすることを可能とした高周波特性の良好なテレビコンセントを提供することにある。
【０００８】
【課題を解決するための手段】
請求項１の発明は、入力側となる信号線が接続される入力端子と、入力端子との間に信号経路が形成され送り側となる信号線が接続される送り端子と、入力端子との間に信号経路が形成される同軸コネクタと、入力端子を通して入力される信号を同軸コネクタと送り端子とに分ける回路と、矩形状であって入力端子と送り端子と同軸コネクタと前記回路とが実装されたプリント基板とを器体に備え、同軸コネクタはプリント基板の中央部に実装され、入力端子と送り端子とはプリント基板の長手方向に沿う一辺に並びプリント基板の長手方向における中心を挟んで実装され、前記回路はプリント基板の長手方向において同軸コネクタと並びかつプリント基板の長手方向において同軸コネクタから送り端子よりも離れた部位に実装され、器体は、埋込型配線器具の規格である１個モジュール寸法であって埋込用配線器具の取付枠に取着可能な取付手段を備え、前記同軸コネクタは、外側導体と内側導体とにそれぞれ接続されプリント基板に一直線上で設けた３個のランドにそれぞれ実装される３個の端子を備え、前記プリント基板上において入力端子および送り端子と前記回路とをそれぞれ結ぶ導電パターンがプリント基板の長手方向に沿った中心線と斜めに交差する直線状に形成されるとともに、前記ランドのうち同軸コネクタの内側導体に接続される中央のランドと前記回路とを結ぶ導電パターンが形成され、入力端子と送り端子とのうち前記回路から遠い方である入力端子と前記回路とを結ぶ導電パターンにおける前記回路側の一端はプリント基板の長手方向において前記中央のランドと並んで配置され、当該導電パターンに沿いかつプリント基板の長手方向に沿った中心線と斜めに交差する直線に沿って残りのランドが配置されているものである。
【００１０】
請求項２の発明は、請求項１の発明において、前記プリント基板を収納する金属製の筐体と、筐体を収納する前記器体としての合成樹脂成形品のカバーとを備えるものである。
【００１３】
【発明の実施の形態】
（第１の実施の形態）
本実施形態は、図１および図２に示すように、導電材料である板金により形成された出力端子枠１１および入力端子枠１２を組み合わせて結合して形成される金属製の筐体を備え、この筐体は器体としての合成樹脂成形品のカバー２０に収納される。
【００１４】
出力端子枠１１は、長方形状の主片１１ａの長手方向の両側縁に、それぞれ主片１１ａに略直交する側片１１ｂを設けたコ字状に導電性の板金によって形成されている。主片１１ａの短手方向の両側縁には、側片１１ｂと同じ向きに各一対の接触片１１ｃが設けられ、各側片１１ｂの先端縁には各一対の組立片１１ｄが延長されている。主片１１ａの中央部には出力端子としての同軸コネクタ３０が取り付けられる。
【００１５】
同軸コネクタ３０はＦ型接栓の接栓座であって、円筒状に形成され外周面にねじ部３１ａを有する外側導体３１と、外側導体３１の中心線に沿って配置される内側導体３２と、外側導体３１と内側導体３２との間を絶縁する内部絶縁体３３とを一体化して形成されている。外側導体３１の軸方向の一端部は出力端子枠１１の主片１１ａの中央部に形成した取付孔１１ｅに挿入される。外側導体３１の軸方向の一端部には主片１１ａに設けた取付孔１１ｅの周縁に当接する外鍔３１ｂが形成され、外鍔３１ｂには、取付孔１１ｅに係合して外側導体３１の出力端子枠１１に対する回り止めを行うボス部３１ｃと、取付孔１１ｅの内周縁に挿入される一対の挿入片３１ｄとが形成されている。一方、取付孔１１ｅは小判形に形成され、短手方向の両側縁に切欠１１ｆが形成されている。外側導体３１に設けたボス部３１ｃは、取付孔１１ｅの短手方向の両側縁および切欠１１ｆに係合可能な断面形状を有し、挿入片３１ｄは取付孔１１ｅの長手方向の両端部の弧状部分に沿って湾曲した断面形状を有している。
【００１６】
外側導体３１にはボス部３１ｃの長手方向の両端においてそれぞれピン状の端子３１ｆが突設され、内側導体３２には外側導体３１の中心軸線上でピン状の端子３２ａが突設される。つまり、端子３１ｆ，３２ａは一直線上に配列されている。これらの端子３１ｆ，３２ａは筐体に収納されるプリント基板１７に実装される。ここで、同軸コネクタ３０は、端子３１ｆ，３２ａが並ぶ直線と矩形状のプリント基板１７の長手方向に沿った中心線とが、プリント基板１７の中心付近で交差するようにプリント基板１７に対する取付向きが設定される。つまり、図１においては、プリント基板１７に各端子３１ｆ，３２ａが挿入され半田により実装される３個のランド１７ａが形成され、ランド１７ａを通る直線はプリント基板１７の中心線に対して交差している。
【００１７】
プリント基板１７には同軸コネクタ３０のほかに入力端子を構成する接触ばね３４や終端用の部品などが実装される。すなわち、本実施形態は端末用（分岐を行わないテレビコンセント）として用いるように構成してある。また、プリント基板１７は、出力端子板１１の主片１１ａから離間するように側片１１ｂに突設した突起１１ｈに載置され、出力端子枠１１の側片１１ｂに半田接続される。プリント基板１７の四隅には出力端子枠１１に半田接続される接続パターン１７ｇが形成されている。ここで、同軸コネクタ３０の内側導体３２と接触ばね３４との間の信号経路はプリント基板１７に形成した導電パターンにより形成されている。プリント基板１７に対する同軸コネクタ３０の取付向きは、信号経路となる導電パターンが最短の長さになるように設定される。このことによって、導電パターンを比較的広幅に形成することも可能になり、導電パターンが短くかつ広幅であることによって、導電パターンによる挿入損失や結合損失の増加が少なくなり、良好な高周波特性を得ることができる。
【００１８】
接触ばね３４は、逆Ｌ字状の連結片３４ａの上端に設けた横片に一対の受け片３４ｂの下縁を連続一体に設け、連結片３４ａの縦片の下部に一対の接続脚片３４ｃを連続一体に設けた形状を有し、接続脚片３４ｃは連結片３４ａよりも下方に突出する。接続脚片３４ｃの下端部には切り起こし片３４ｄが形成され、プリント基板１７に設けた実装孔１７ｂに接続脚片３４ｃを挿入すると切り起こし片３４ｄが実装孔１７ｂの周部に引っ掛かることによって、接続脚片３４ｃはプリント基板１７に対して抜け止めされ、この状態で半田によりプリント基板１７に実装される。
【００１９】
各受け片３４ｂは互いに対向するように配置され、中間部において互いの距離をもっとも小さくするように曲成されている。両受け片３４ｂ間の最小距離は、同軸ケーブルの中心導体を挟持できる程度に設定されている。ここに、同軸コネクタ３０へのＦ型接栓の挿入方向と、接触ばね３４への同軸ケーブルの中心導体の挿入方向とは直交している。つまり、同軸コネクタ３０へのＦ型接栓の挿入方向はプリント基板１７に直交し、接触ばね３４への同軸ケーブルの挿入方向はプリント基板１７に沿う方向になる。
【００２０】
ところで、上述のように、出力端子枠１１には入力端子枠１２が結合される。入力端子枠１２は長方形状の主片１２ａの短手方向の両側縁に、それぞれ主片１２ａに略直交する側片１２ｂを設けたコ字状に導電性の板金によって形成されている。入力端子枠１２の主片１２ａの長手方向の寸法は出力端子枠１１の長手方向の寸法よりも長く、入力端子枠１２の主片１２ａには出力端子枠１１に設けた組立片１１ｄが挿通される組立孔１２ｃが形成されている。組立孔１２ｃは切り起こし片１２ｄを残して形成され、組立片１１ｄを組立孔１２ｃに挿通し、組立片１１ｄを切り起こし片１２ｄに重ねて折曲することにより、入力端子枠１２が出力端子枠１１にかしめ固定されるようにしてある。入力端子枠１２が出力端子枠１１に結合された状態では、出力端子枠１１に設けた接触片１１ｃが入力端子枠１２の側片１２ｂに圧接することにより、出力端子枠１１と入力端子枠１２とが同電位になるように電気的に接続される。ここに、出力端子枠１１と入力端子枠１２との電気的接続状態を安定させかつ機械的結合強度を高めるために、接触片１１ｃには側片１２ｂに圧接するダボ１１ｇが打ち出されている。入力端子枠１２の主片１２ａの長手方向の両端縁には筐体がカバー２０に収納されたときにカバー２０に対する位置決めを行う固定突片１２ｆが突設され、側片１２ｂには筐体がカバー２０に収納されたときにカバー２０に係止される抜止片１２ｇが切り起こしによって形成されている。
【００２１】
ところで、入力端子枠１２は入力側の信号線となる同軸ケーブルを機械的に保持するとともに、同軸ケーブルの外側導体を電気的に接続する機能を有する。すなわち、入力端子枠１２には同軸ケーブルを主片１２ａとの間で挟持する押さえ体１４が取り付けられる。さらに詳しく説明すると、主片１２ａにおいて接触ばね３４に対応する部位には開口窓１２ｈが設けられ、開口窓１２ｈの両側縁には開口窓１２ｈの開口面に直交する形でそれぞれ軸受片１２ｉが突設される。軸受片１２ｉは出力端子枠１１から離れる向きに突設されている。押さえ体１４は入力端子枠１２に対して起伏自在となるように軸受片１２ｉに軸支される。つまり、押さえ体１４は同軸ケーブルを主片１２ａとの間で挟持する押さえ部１４ａから突出する略平行な一対のアーム１４ｂを有するとともに、各アーム１４ｂの先端部に互いに離れる向きに軸部１４ｄを有し、軸部１４ｄが軸受片１２ｉに設けた軸孔１２ｊに挿入されることによって、入力端子枠１２に対して起伏自在となっている。
【００２２】
押さえ部１４ａの一方の側縁には固定ねじ１５が挿通されるねじ受け部１４ｃが形成される。固定ねじ１５は主片１２ａに螺合して押さえ体１４を入力端子枠１２に対して固定する。また、固定ねじ１５の脚部は中間部に鍔を有しており、鍔よりも先端側にのみねじ部が形成されている。しかして、固定ねじ１５を緩めて押さえ部１４ａを主片１２ａから離した状態で同軸ケーブルを押さえ部１４ａと主片１２ａとの間に導入した後、固定ねじ１５を締め付ければ、同軸ケーブルが押さえ部１４ａと主片１２ａとの間に挟持される。ここで、同軸ケーブルの外側導体を露出させ、この露出部位を押さえ部１４ａと主片１２ａとの間に挟持することで、同軸ケーブルの外側導体を入力端子枠１２に電気的に接続することができる。同軸ケーブルは入力端子枠１２の主片１２ａに沿って配置されるから、固定ねじ１５を入力端子枠１２に対して緩めるだけで同軸ケーブルの接続が可能になり、固定ねじ１５を入力端子枠１２から外してしまう場合よりも結線作業が短時間で行えることになる。
【００２３】
上述した開口窓１２ｈには接触ばね３４を覆う端子台１６ａが挿入される。端子台１６ａは合成樹脂成形品である端子カバー１６の一部を構成しており、プリント基板１７に結合される端子カバー本体１６ｂと連続一体に形成されている。端子カバー本体１６ｂはプリント基板１７に跨るコ字状に形成され、中央片に端子台１６ａが突設される。また、端子カバー本体１６ｂの各脚片の先端面にはプリント基板１７に穿孔した４個の連結孔１７ｃに挿入係合される各一対の脚部１６ｃが突設される。この構成によって、端子カバー１６はプリント基板１７に固定される。
【００２４】
端子台１６ａには図２に示すように押さえ体１４の押さえ部１４ａ側の側面に開放された導入孔１６ｄが形成され、導入孔１６ｄを形成した側面の裏側となる側面には矩形状の露出孔１６ｅが形成されている。導入孔１６ｄは端子台１６ａに内蔵された接触ばね３４に対応する部位に形成され、導入孔１６ｄに同軸ケーブルの中心導体を挿入すれば、中心導体が接触ばね３４の一対の受け片３４ｂ間に挟持されるようになっている。導入孔１６ｄは接触ばね３４の受け片３４ｂの端縁に沿って長い楕円状に形成され、短径は入力側の同軸ケーブルの中心導体の直径よりやや大きい程度に設定される。
【００２５】
したがって、導入孔１６ｄが楕円状であることによって、同軸ケーブルの中心導体の断面積よりも導入孔１６ｄの開口面積を大きくとることができて、中心導体を導入孔１６ｄに容易に挿入することができる。このように中心導体を挿入しやすくしながらも、導入孔１６ｄの短径は同軸ケーブルの中心導体の直径程度とすることができるから、埃や水滴から接触ばね３４を保護する機能が損なわれることはない。また、中心導体の露出部位が長い場合には余剰分は露出孔１６ｅに挿入される。したがって、同軸ケーブルの端末部分を剥く寸法にばらつきがあっても、中心導体を接触ばね３４に接続し、かつ押さえ部１４ａと入力端子枠１２との間に外側導体を挟持させることができる。この露出孔１６ｅは接触ばね３４と中心導体との接続状態を目視により確認する際にも利用できる。
【００２６】
筐体を収納するカバー２０は、ＪＩＳ規格において大角形連用配線器具として規格化されている１個モジュール寸法に形成されている。１個モジュール寸法は、壁面などの施工面に一部を埋め込んで取り付けられる埋込用配線器具の一種である大角形連用配線器具の３個用の取付枠に最大３個取り付けることができる寸法を意味する。したがって、本実施形態のカバー２０は３個用の取付枠に最大３個取り付けることができる。
【００２７】
カバー２０は、前面（図１の下面）の中央部に突台部２０ａが突設され、突台部２０ａの両側に肩部２０ｂが形成された形状を有し、カバー２０の後面は入力端子枠１２の主片１２ａの寸法にほぼ一致するように矩形状に開放されている。突台部２０ａの前面中央部には円形に開口する導入穴（図示せず）が形成され、導入穴の底面中央部には円形の挿入孔２２が形成される。筐体がカバー２０に収納されると、挿入孔２２に同軸コネクタ３０が挿入され、外側導体３１が挿入孔２２を通して導入穴の内部に配置される。カバー２０の両肩部２０ｂの側面には、各一対の取付爪２３が突設される。また、突台部２０ａと各肩部２０ｂとに跨る部位には１個ずつの取付孔２４が形成される。
【００２８】
カバー２０において肩部２０ｂを形成していない側壁（つまり、カバー２０の後面の短手方向の両側壁）には入力端子枠１２に設けた抜止片１２ｇが係合する抜止孔２５が形成されている。抜止片１２ｇは前端部が入力端子枠１２に連続する形で切り起こされているから、カバー２０に筐体が収納された状態で抜止片１２ｇを抜止孔２５に係合させると、筐体はカバー２０に対する後方への移動が阻止される。また、カバー２０の後面側の開口周縁には入力端子枠１２に設けた固定突片１２ｆが係合可能な固定溝２６が形成され、固定突片１２ｆが固定溝２６に係合することによって、入力端子枠１２のカバー２０に対するがたつきが防止される。
【００２９】
本実施形態のテレビコンセントを施工する際には、たとえば図３に示す合成樹脂製の取付枠４０を用いる。この取付枠４０は、左右一対の側枠４１，４２の上下両端間をそれぞれ上枠４３ａと下枠４３ｂとにより連結した矩形枠状であり、側枠４１，４２と上枠４３ａおよび下枠４３ｂとにより囲まれた取付窓４４にカバー２０の突台部２０ａが挿入される。一方の側枠４１には可撓片４５が延設され、可撓片４５に設けた操作片４５ａと側枠４１との間にはカバー２０に設けた取付爪２３が挿入される保持孔４６ａが形成される。また、他方の側枠４２にも取付爪２３が挿入される保持孔４６ｂが形成される。したがって、保持孔４６ｂにカバー２０の一方の側面に突設した取付爪２３を挿入し、その後、側枠４１と可撓片４５との間の保持孔４６ａにカバー２０の他方の側面に突設した取付爪２３を挿入すれば、カバー２０が取付枠４０に結合されるのである。逆に取付枠４０からカバー２０を外すには、マイナスドライバのような工具を用いて操作片４５ａをカバー２０から離れる向きに撓ませればよい。
【００３０】
上枠４３ａおよび下枠４３ｂには、横長に形成されたボックス孔４７が形成され、施工面に埋め込まれた埋込ボックス（図示せず）に取付枠４０を取り付ける際には、ボックス孔４７に挿通されるボックスねじを埋込ボックスに螺合させる。また、ボックス孔４７の左右両側には引掛孔４８が形成される。引掛孔４８は壁パネルのようなパネル材に取付枠４０を取り付ける際に、引掛金具（図示せず）の一端部を引掛孔４８に挿入して引掛金具を取付枠４０に枢支するために用いる。つまり、引掛金具を取付枠４０に枢支した状態で、ボックス孔４７を通して引掛金具に螺合する引締ねじを締め付けると、引掛金具の他端部が取付枠４０に近付くことになる。つまり、パネル材に開口を形成しておき、取付枠４０と引掛金具との間で開口の周部を挟持すれば、取付枠４０をパネル材に固定することができる。ボックス孔４７の近傍にはねじ孔４９も形成されており、化粧プレートなどをねじによって取付枠４０に結合する際にはねじ孔４９を用いる。
【００３１】
図３には出力用の信号線となる同軸ケーブル５０も図示してある。この同軸ケーブル５０にはＦ型接栓５１が取り付けられており、同軸コネクタ３０の外側導体３１に設けたねじ部３１ａにＦ型接栓５１に設けたスリーブ５２を螺合させることによって、同軸コネクタ３０にＦ型接栓５１を結合することができる。
【００３２】
なお、取付枠には金属製のものも提供されており、金属製のものの多くは取付孔２４に挿入可能な爪を塑性変形させるように形成されているが、基本的な構成は合成樹脂製のものと同様である。また、端子カバー１６をプリント基板１７に固定する例を示したが、端子カバー１６に設けた脚部１６ｃを固定する構成を出力端子枠１１に設けることも可能である。さらに、カバー２０が１個モジュール寸法である例を示したが、１．５個モジュール寸法、２個モジュール寸法、３個モジュール寸法のような他の寸法のカバー２０を用いることも可能である。
【００３３】
（第２の実施の形態）
本実施形態は、送り配線が可能な中継用のテレビコンセントであって、入力された信号を同軸コネクタ３０に分岐するとともに送り用に伝送している。したがって、本実施形態では送り側の信号線を接続する送り端子が必要であって、送り端子は入力側の信号線を接続する入力端子と同様の構成を有している。
【００３４】
すなわち、図４および図５に示すように、本実施形態では、プリント基板１７に２個の接触ばね３４を実装してある。一方の接触ばね３４は入力端子に用いられ他方の接触ばね３４は送り端子に用いられる。また、両接触ばね３４を覆うために、端子カバー１６には端子台１６ａを２個設けてあり、これに伴って、押さえ体１４の押さえ部１４ａは２本の同軸ケーブルを保持可能な形状に形成してある。つまり、押さえ部１４ａの中央部に固定ねじ１５を挿通してあり、固定ねじ１５の両側にそれぞれ入力側と送り側との同軸ケーブルが通るようになっている。プリント基板１７には分岐回路が実装される。
【００３５】
分岐回路Ｂは、図６に示す周知の構成を有し、２個の分岐トランスＴ１，Ｔ２を用いて分岐させている。それぞれ接触ばね３４を用いた入力端子Ｘ１と送り端子Ｘ２との間は分岐トランスＴ１の１次巻線のみが挿入されるから直流電流を通過させることが可能になっている。また、入力端子Ｘ１と同軸コネクタ３０よりなるテレビジョン受信機側の出力端子Ｘ３との間は２個のコンデンサＣ１，Ｃ２により直流的には分離されている。分岐回路Ｂにはインピーダンス整合用の抵抗Ｒ１も設けられている。
【００３６】
プリント基板１７の上では、第１の実施の形態と同様に、同軸コネクタ３０の中心とプリント基板１７の中心とは略一致しており、図７に示すように、分岐回路Ｂは同軸コネクタ３０に対してプリント基板１７の長手方向に離れた部位に実装される。図６に示した分岐回路Ｂの構成から明らかなように、分岐回路Ｂには１本の入力線と２本の出力線とが必要である。つまり、プリント基板１７には分岐回路Ｂに接続される導電パターンとして、各接触ばね３４にそれぞれ接続される２本の導電パターン１７ｄ，１７ｅと、同軸コネクタ３０の内側導体３２に接続される１本の導電パターン１７ｆとが形成される。導電パターン１７ｄは入力端子Ｘ１と分岐回路Ｂとを接続し、導電パターン１７ｅは送り端子Ｘ２と分岐回路Ｂとを接続し、導電パターン１７ｆは同軸コネクタ３０（出力端子Ｘ３）と分岐回路Ｂとを接続する。第１の実施の形態と同様に、同軸コネクタ３０は、同軸コネクタ３０の各端子３１ｆ，３２ａを結ぶ直線がプリント基板１７の長手方向に沿った中心線に対して交差するように取付向きが設定されており、このような配置によって、導電パターン１７ｄ，１７ｅを直線状とすることが可能になっている。また、導電パターン１７ｆについても湾曲部分はほとんど形成されていない。つまり、プリント基板１７に分岐回路Ｂを実装するとともに、同軸コネクタ３０および２個の接触ばね３４の配置位置を図７に示す関係とするという条件のもとでは、各導電パターン１７ｄ，１７ｅ，１７ｆの長さの合計をほぼ最小とすることができる。このような導電パターン１７ｄ，１７ｅ，１７ｆを形成することにより、各導電パターン１７ｄ，１７ｅ，１７ｆを比較的広幅に形成することができる。しかも、導電パターン１７ｄは導電パターン１７ｆとの間に同軸コネクタ３０の外側導体３１に設けた端子３１ｆを挟んで配置されており、このことによって入力端子Ｘ１に接続された導電パターン１７ｄと出力端子Ｘ３に接続された導電パターン１７ｆとの間に接地部分が介在することになり、入力と出力との間の分離性がよく、不要な結合が生じにくくなる。
【００３７】
本実施形態のテレビコンセントを用いれば、送り用の信号線を介して他のテレビコンセントを接続することができ、信号強度が許容される範囲でテレビコンセントを複数設けることが可能になる。ただし、分岐を必要としないテレビコンセントには第１の実施の形態として説明した端末用のテレビコンセントを用いることになる。また、プリント基板１７に実装する回路としては分岐回路に限らず、分配回路を実装するようにしてもよい。また、図７に示すように、固定ねじ１５の先端部が挿入される挿入孔１７ｈを形成しておけば、挿入孔１７ｈを設けない場合よりも固定ねじ１５を長寸にすることができ、固定ねじ１５を入力端子枠１２に螺合させたままでも、入力端子枠１２に対して押さえ体１４を浮き上がらせる量を大きくすることが可能になり、結果的に押さえ体１４を大きく開いて同軸ケーブルの結線作業を容易にすることができる。他の構成および動作は第１の実施の形態と同様である。
【００３８】
【発明の効果】
請求項１の発明の構成によれば、１個モジュール寸法の器体に収納されるプリント基板に対して、同軸コネクタをプリント基板の中央部に配置し、入力端子および送り端子をプリント基板の長手方向の一辺に並べかつプリント基板の長手方向における中心を挟んで配置し、さらに入力端子と送り端子とのうち前記回路から遠い方である入力端子と前記回路とを結ぶ導電パターンにおける前記回路側の一端をプリント基板の長手方向において前記中央のランドと並んで配置するという条件のもとでは、プリント基板に実装する部材の配置を変更せずに同軸コネクタの取付向きの変更のみで導電パターンの長さを短くし、結果的に高周波特性の良好なテレビコンセントを提供することができる。また、導電パターンの長さが短くなることによって、導電パターンの占有面積が等しいとすれば導電パターンを比較的広い幅に形成することが可能であり、このことによっても高周波特性が良好になる。とくに、入力端子と送り端子とのうち前記回路から遠いほうの端子とプリント基板に実装した回路とを結ぶ導電パターンが直線状であるから、挿入損失を抑制することができる。この構成のテレビコンセントは、同軸コネクタがテレビジョン受信機を接続する出力端子になり、送り端子が信号線を介して他のテレビコンセントを接続する中継用に用いられる。
【００３９】
また、器体が埋込方配線器具の規格である１個モジュール寸法であって、埋込用配線器具の取付枠に取着可能な取付手段を備えるものであり、コンセントやスイッチのような配線器具に用いる取付枠を用いて施工することができ、施工用の部材を新たに設計したり、施工技術を新たに修得する必要がない。しかも、一般に提供されている３個用の取付枠を用いれば、１個モジュール寸法の配線器具を３個まで取り付けることができるから、テレビコンセントを１〜３個設けたり、コンセントのような他の配線器具と組み合わせて１箇所に設けたりすることが可能になる。
【００４０】
請求項２の発明は、請求項１の発明において、プリント基板を収納する金属製の筐体と、筐体を収納する器体としての合成樹脂成形品のカバーとを備えるものであり、プリント基板上に導電パターンによって形成されている信号経路を金属製の筐体で囲んでいるから高いシールド効果が得られる。また、合成樹脂製のカバーに筐体を収納していることによって、カバーを任意の形状に形成することができる。
【図面の簡単な説明】
【図１】本発明の第１の実施の形態を示す分解斜視図である。
【図２】同上の断面図である。
【図３】同上の使用例を示す斜視図である。
【図４】本発明の第２の実施の形態を示す分解斜視図である。
【図５】同上を示し、（ａ）は横断面図、（ｂ）は後面図、（ｃ）は縦断面図である。
【図６】同上に用いる分岐回路を示す回路図である。
【図７】同上に用いるプリント基板を示す平面図である。
【図８】従来例を示す分解斜視図である。
【符号の説明】
１７  プリント基板
１７ｄ  導電パターン
１７ｅ  導電パターン
１７ｆ  導電パターン
２０  カバー
３０  同軸コネクタ
３１  外側導体
３１ｆ  端子
３２  内側導体
３２ａ  端子
３４  接触ばね
４０  取付枠
Ｂ  分岐回路
Ｘ１  入力端子
Ｘ２  送り端子
Ｘ３  出力端子
【図１】
0003832159.tif 000002
【図２】
0003832159.tif 000003
【図３】
0003832159.tif 000004
【図４】
0003832159.tif 000005
【図５】
0003832159.tif 000006
【図６】
0003832159.tif 000007
【図７】
0003832159.tif 000008
【図８】
0003832159.tif 000009